(57)【特許請求の範囲】
【請求項１】
ガイド部を有する固定フレームと、固定フレームのガイド部と係合して全長を伸縮させる移動部材と、移動部材に取り付けられていて画材の上端を押さえる押さえ部材と、画材の下端を支持する受け部材を有する画架において、前記固定フレームの中間部分には固定側背貫が立設されており、受け部材と移動部材は、前記固定側背貫で支持されており、受け部材は前記移動部材とは独立して固定フレームの固定側背貫に昇降自在に取り付けられることで移動時の負荷を軽減していることを特徴とする画架。
【請求項２】
移動部材は段階的係止部を有し、固定フレームの前記固定側背貫には移動部材の段階的係止部と係合して移動部材の落下を防止する第一係合手段が設けられ、固定フレームの前記固定側背貫にはさらに他の段階的係止部を有し、受け部材には固定フレームの段階的係止部と係合して受け部材の落下を防止する第二係合手段が設けられていることを特徴とする請求項１に記載の画架。
【発明の詳細な説明】
【０００１】
【発明の属する技術分野】
本発明は、絵を描く際にカンバスなどの画材を固定する画架に関するものである。
【０００２】
【従来の技術】
アトリエなどで絵を描く際は、カンバス等の画材を固定するための画架が使用される。画架には、三脚形状のものや板状のもの、あるいは枠状のもの等各種の形態があるが、大型のカンバスを載置する場合には、枠構造のものが多用されている。
図７は、従来技術の枠構造の画架の正面図である。
従来技術の画架１００は、固定フレーム１０１と移動部材１０２を持ち、移動部材１０２にカンバスの上縁を押さえる押さえ部材１０３と下縁を支持する受け部材１０５の双方が設けられたものである。
【０００３】
すなわちこの種の画架１００では、固定フレーム１０１は、ベース１１０に帆立てと称される二本の側部部材１１１，１１２を有し、この側部部材１１１，１１２の内側にガイド溝（図示せず）が設けられている。
一方移動部材１０２は、枠状又は井桁状であり平行な二本の側部部材１１１，１１２を有し、これらの中央に背貫と称されるガイド板１１３が設けられている。
そして従来技術の画架１００では、移動部材１０２の下端部に受け部材１０５が一体的に固定されている。また押さえ部材１０３は、移動部材１０２のガイド板１１３に昇降可能に取り付けられている。
【０００４】
従来技術の画架１００を使用して絵を描く場合は、移動部材１０２を適当な高さに仮固定しておき、押さえ部材１０３をカンバスの高さに合わせて移動して受け部材１０５と押さえ部材１０３の間にカンバスを挟む。続いて、移動部材１０２の全体を固定フレーム１０１のガイド溝に沿って移動させ、カンバスの高さを所望の高さに調節する。
【０００５】
【発明が解決しようとする課題】
しかしながら従来技術の画架１００は、移動部材１０２に押さえ部材１０３と受け部材１０５の双方が取り付けられ、さらに押さえ部材を昇降させるためのガイド板１１３も移動部材１０２に取り付けられている。そのためカンバスの高さを調整する際には、受け部材１０５と共に移動部材１０２と押さえ部材１０３及びガイド板１１３の全てを動かさなければならず、非常に重い。そのためより小さな力でカンバスの高さを調節できる画架の実現が望まれていた。
そこで本発明は、この要求に応えるため軽い力をもってカンバスの高さを調節することができる画架の開発を課題とするものである。
【０００６】
【課題を解決するための手段】
そして上記した課題を解決するための請求項１に記載の発明は、ガイド部を有する固定フレームと、固定フレームのガイド部と係合して全長を伸縮させる移動部材と、移動部材に取り付けられていて画材の上端を押さえる押さえ部材と、画材の下端を支持する受け部材を有する画架において、前記固定フレームの中間部分には固定側背貫が立設されており、受け部材と移動部材は、前記固定側背貫で支持されており、受け部材は前記移動部材とは独立して固定フレームの固定側背貫に昇降自在に取り付けられることで移動時の負荷を軽減していることを特徴とする画架である。
【０００７】
本発明の画架は、受け部材が移動部材から独立している。そのため受け部材だけを単独で昇降させることができ、軽い力で画材の高さを調節することができる。
【０００８】
また請求項２に記載の発明は、移動部材は段階的係止部を有し、固定フレームの前記固定側背貫には移動部材の段階的係止部と係合して移動部材の落下を防止する第一係合手段が設けられ、固定フレームの前記固定側背貫にはさらに他の段階的係止部を有し、受け部材には固定フレームの段階的係止部と係合して受け部材の落下を防止する第二係合手段が設けられていることを特徴とする請求項１に記載の画架である。
【０００９】
本発明の画架では、移動部材に段階的係止部が設けられ、対する固定フレームの前記固定側背貫には移動部材の段階的係止部と係合して移動部材の落下を防止する第一係合手段が設けられている。そのため本発明の画架では、移動部材の高さを段階的に調節することができる。また本発明の画架では、固定フレームの前記固定側背貫に他の段階的係止部が設けられ、受け部材に固定フレームの段階的係止部と係合して受け部材の落下を防止する第二係合手段が設けられている。そのため受け部材の高さを段階的に調節することができる。
【００１０】
【発明の実施の形態】
以下、本発明の実施の形態を図１から図６を参照しながら説明する。図１は、本発明に係る画架を前方から見た斜視図である。図２は、図１の画架の移動部材を下げた状態における正面図である。図３は、図１の画架の移動部材を上げた状態における正面図である。図４は、図３のＡ−Ａ断面図である。図５は、図４のＢ−Ｂ断面図である。図６は、図４の固定側背貫と移動側背貫部分の拡大図である。
【００１１】
本発明に係る画架１は、大方の部材が木材によって作られたものであり、枠状のベース１０と一対の帆立１１，１１からなる固定フレーム１５を有し、その一対の帆立１１，１１間に下側移動部材２０と上側移動部材３０とを昇降動可能に挟持し、上側移動部材３０に押さえ部材４０を取付け、下側移動部材２０の下端部に受け部材２３を取り付けたものである。
順次説明すると、帆立１１，１１は断面が長方形をした柱状の部材であり、コロ１８付きのベース１０にピン２９を介して揺動可能に立設されている。帆立１１，１１は、ベース１０に取り付けられた斜棒１３，１３によって角度決めがなされている。また帆立１１，１１の中間部には細長いスリット１１ａ，１１ａが設けられており、そのスリット１１ａ，１１ａに、斜棒１３，１３の上端に取り付けたネジ１４が貫通し、帆立１１，１１と斜棒１３，１３とが連結されている。本実施形態の画架１では、ネジ１４を緩めて斜棒１３，１３とスリット１１ａ，１１ａとの係止位置を変更することにより、帆立１１，１１の傾斜角度を変更することができる。
【００１２】
帆立１１，１１の内側にはガイド溝（ガイド部）１６が設けられている。また一対の帆立１１，１１によって形成される空間の中間部分には、帆立１１，１１と平行に固定側背貫８が立設されている。固定側背貫８は具体的には帆立１１，１１の上部と中間部とに連結した上下の桟１２，１２（図３にのみ両者を図示）に取り付けられて支持されている。固定側背貫８の前面には図１，６に示すように、鋸歯状の段階的係止部１７が取り付けられている。段階的係止部１７は、金属によって作られ、木製の固定側背貫８に固定されている。
【００１３】
また固定側背貫８の頂部には、「Ｌ」字形のレバーからなる係合部材（第一係合手段）１９が設けている。係合部材（第一係合手段）１９は、図６に示すように、中心に設けられたピン２１を介して固定側背貫８の頂部に揺動可能に取り付けられている。
【００１４】
一方下側移動部材２０は、略「Ｈ」形に木材を接合したものであり、カンバスを載せるための受け部材２３が取り付けられている。下側移動部材２０の両端には凸条が設けられていて（図示せず）帆立１１，１１の内側に設けられたガイド溝１６と係合し、ガイド溝１６に沿って昇降する。また下側移動部材２０には、「Ｌ」字形のレバーからなる係合部材（第二係合手段）２２が設けられている。係合部材（第二係合手段）２２は、図６に示すように、受け部材２３の下面に、ピン２４を介して揺動可能に取り付けられている。
係合部材（第二係合手段）２２は、図６の様に固定側背貫８に設けられた段階的係止部１７と係合して下側移動部材２０の落下が防止され、下側移動部材２０の高さが段階的に調整される。
【００１５】
これに対して上側移動部材３０は、二本の平行な縦部材３１を有し、縦部材３１同士の一端と、中間部に横部材３２，３３が設けられて枠状を構成したものである。そして縦部材３１の側面には、凸条３７が設けられている。
また縦部材３１同士の中間部には、縦部材３１と平行に移動側背貫３５が設けられている。移動側背貫３５の背面側には鋸歯状の段階的係止部３６が取り付けられている。段階的係止部３６は、金属によって作られ、木製の移動側背貫３５に固定されたものである。
また移動側背貫３５の両側面には、ガイド溝３８が設けられている。
【００１６】
上側移動部材３０は、縦部材３１に設けられた凸条３７が帆立１１，１１の内側に設けられたガイド溝１６と係合し、ガイド溝１６に沿って昇降する。そして固定側背貫８の頂部に設けられた係合部材（第一係合手段）１９が移動側背貫３５の背面側に設けられた段階的係止部３６と係合して上側移動部材３０の落下が防止され、上側移動部材３０の高さが段階的に調整される。
【００１７】
そして移動側背貫３５には、押さえ部材４０が取り付けられている。押さえ部材４０は、ガイド部４１と押さえ部４３から構成される。ガイド部４１は、移動側背貫３５のガイド溝３８と係合するものであり、正面側にハンドル付きネジ３９が設けられている。そしてハンドル付きネジ３９を締めることにより、ネジの先端が移動側背貫３５の表面を押圧し、押さえ部材４０を任意の位置に固定することができる。押さえ部４３は、カンバスの上辺と当接する部材であり、断面形状が「Ｌ」状をした板である。
【００１８】
また移動側背貫３５には、他にもう一つの移動体５０が同様の手段によって取り付けられている。移動体５０は、小型のカンバスを載置する際に使用するものであり、上部が受け部５１となっており、下部が押さえ部５２となっている。移動体５０は、移動側背貫３５のガイド溝３８に沿って昇降可能であり、ネジ５３を締めることによって任意の位置に固定することができる。
【００１９】
次に本実施形態の画架１の使用方法について説明する。
本実施形態の画架１に通常サイズのカンバスを載置する場合は、受け部材２３と押さえ部材４３の間でカンバスを挟んで使用する。
すなわち最初に上側移動部材３０をカンバスの大きさに応じて大まかな位置に固定する。続いて受け部材２３の上にカンバスを載置する。そして受け部材２３を帆立１１，１１の間に設けられたガイド溝１６に沿って昇降させ、カンバスの高さを調節する。
ここで本実施形態の画架１では、受け部材２３は、上側移動部材３０とは独立した下側移動部材２０に取り付けられており、上側移動部材３０と切り離して受け部材２３だけを単独で移動させることができるので、従来の画架に比べて極めて小さな力で受け部材２３を移動させることができる。
そしてカンバスの高さを決めて下側移動部材２０に設けられた係合部材（第二係合手段）２２を固定側背貫８に係合させ、下側移動部材２０を固定する。
【００２０】
続いて押さえ部材４０を移動側背貫３５に沿って降下させ、カンバスの上辺と当接する位置で押さえ部材４０を固定する。
【００２１】
なお立ち姿勢で絵を描く場合の様に、カンバスを高い位置に固定したい場合や、大型のカンバスを載置する場合は、図３の様に、上側移動部材３０を帆立１１，１１の間に設けられたガイド溝１６に沿って上昇させる。
【００２２】
以上説明した実施形態は、画架にカンバスを載置する場合を例に説明したが、本発明の画架に何を載置するかは使用者の自由である。近年では、レストランの店先でメニュー等を表示する用途に画架が使用される場合が多いが、これらの用途にも本発明の画架を使用することができる。
【００２３】
【発明の効果】
以上説明した様に、本発明の画架は、受け部材が移動部材から独立していて受け部材だけを単独で昇降させることができるので、軽い力で画材の高さを調節することができる効果がある。
また特に請求項２に記載の画架では、移動部材の高さ及び受け部材の高さを段階的に調節することができる効果がある。
【図面の簡単な説明】
【図１】  本発明に係る画架を前方から見た斜視図である。
【図２】  図１の画架の移動部材を下げた状態における正面図である。
【図３】  図１の画架の移動部材を上げた状態における正面図である。
【図４】  図３のＡ−Ａ断面図である。
【図５】  図４のＢ−Ｂ断面図である。
【図６】  図４の固定側背貫と移動側背貫部分の拡大図である。
【図７】  従来技術の枠構造の画架の正面図である。
【符号の説明】
１  画架
８  固定側背貫
１０  ベース
１１  帆立
１５  固定フレーム
１６  ガイド溝（ガイド部）
１７  段階的係止部
１９  係合部材（第一係合手段）
２０  下側移動部材
２３  受け部材
３０  上側移動部材
３６  段階的係止部
３８  ガイド溝
【図１】
0004611483.tif 000002
【図２】
0004611483.tif 000003
【図３】
0004611483.tif 000004
【図４】
0004611483.tif 000005
【図５】
0004611483.tif 000006
【図６】
0004611483.tif 000007
【図７】
0004611483.tif 000008